(57)【特許請求の範囲】
【請求項１】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、
前記凍結温度センサが凍結温度以下の温度を検出すると凍結防止運転を行い、さらに、前記断線／短絡検出装置が異常検出信号を出力した場合には、凍結防止運転の設定温度を、異常検出信号が出力される前における凍結防止運転の設定温度よりも高くすることを特徴とする温水装置。
【請求項２】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、
前記凍結温度センサが凍結温度以下の温度を検出すると凍結防止運転を行い、さらに、前記断線／短絡検出装置が異常検出信号を出力した場合には、凍結防止運転の設定温度を、異常検出信号が出力される前における凍結防止運転の設定温度よりも高くすることを特徴とする温水装置。
【請求項３】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、
前記凍結温度センサが凍結温度以下の温度を検出すると凍結防止運転を行い、さらに、前記断線／短絡検出装置が異常検出信号を出力した場合には、凍結防止運転の設定温度を、異常検出信号が出力される前における凍結防止運転の設定温度よりも高くすることを特徴とする温水装置。
【請求項４】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、
前記熱源器は、追焚き回路によって浴槽に接続され、
前記断線／短絡検出装置が異常検出信号を出力した場合には、前記追焚き回路に設けられた循環ポンプを連続運転させるようにしたことを特徴とする温水装置。
【請求項５】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、
前記熱源器は、追焚き回路によって浴槽に接続され、
前記断線／短絡検出装置が異常検出信号を出力した場合には、前記追焚き回路に設けられた循環ポンプを連続運転させるようにしたことを特徴とする温水装置。
【請求項６】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、
前記熱源器は、追焚き回路によって浴槽に接続され、
前記断線／短絡検出装置が異常検出信号を出力した場合には、前記追焚き回路に設けられた循環ポンプを連続運転させるようにしたことを特徴とする温水装置。
【請求項７】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、
前記断線／短絡検出装置が異常検出信号を出力した場合には、断線又は短絡を検出されていない凍結防止用ヒータに通電させるようにしたことを特徴とする温水装置。
【請求項８】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、
前記断線／短絡検出装置が異常検出信号を出力した場合には、断線又は短絡を検出されていない凍結防止用ヒータに通電させるようにしたことを特徴とする温水装置。
【請求項９】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、
前記断線／短絡検出装置が異常検出信号を出力した場合には、断線又は短絡を検出されていない凍結防止用ヒータに通電させるようにしたことを特徴とする温水装置。
【請求項１０】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、
前記凍結温度センサの断線が検出された場合には、前記凍結防止用ヒータに通電させるようにしたことを特徴とする温水装置。
【請求項１１】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、
前記凍結温度センサの断線が検出された場合には、前記凍結防止用ヒータに通電させるようにしたことを特徴とする温水装置。
【請求項１２】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、
前記凍結温度センサの断線が検出された場合には、前記凍結防止用ヒータに通電させるようにしたことを特徴とする温水装置。
【請求項１３】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、
前記断線／短絡検出装置が異常検出信号を出力した場合には、前記熱源機を運転開始させることを特徴とする温水装置。
【請求項１４】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、
前記断線／短絡検出装置が異常検出信号を出力した場合には、前記熱源機を運転開始させることを特徴とする温水装置。
【請求項１５】
熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、
前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、
前記断線／短絡検出装置が異常検出信号を出力した場合には、前記熱源機を運転開始させることを特徴とする温水装置。
【発明の詳細な説明】
【０００１】
【発明の属する技術分野】
本発明は、断線／短絡検出装置を備えた温水装置に関し、特に温水を供給する熱源機の内外に設けられた凍結防止用のヒータや凍結温度を検出するための温度センサ等の断線又は短絡を検出する断線／短絡検出装置を備えた温水装置に関する。
【０００２】
【従来の技術とその解決課題】
寒冷地において、マンションのベランダやビルの屋上などにボイラ式の熱源機を設置する場合がある。このような場合には、出湯停止時や温水が循環していないとき、配管等が凍結する恐れがあるので、通常はボイラハウス内に熱源機を設置している。さらに、熱源機に接続された配管等の凍結を防止するため、熱源機外部の配管の回りに凍結防止用ヒータを巻き付けてあり、凍結温度検出用の温度センサが凍結予防温度に達したことを検知すると、ヒータに通電して配管を加熱することにより配管の凍結を防止している。
【０００３】
しかし、ヒータは使用によって劣化するので、断線が起き易い。外部の配管に巻き付けられているヒータが断線した場合には、マンションのベランダや屋上といった寒冷地の屋外ということもあり、修理が困難で、熱源機による湯の使用が不能になっていた。また、熱源機の外部配管に設けられている凍結防止用ヒータと熱源機の内部に設けられている凍結防止用ヒータとでは、修理箇所が全く異なっているため、適当に断線箇所の検討をつけて修理すると、違っていた場合に修理作業に手間がかかり、作業が非常に長引く問題があった。
【０００４】
本発明は、上記の従来例の問題点に鑑みてなされたものであり、その目的とするところは、凍結防止用ヒータ等が断線した場合には、直ちに凍結防止用ヒータ等の断線を検知すると共にいずれの凍結防止用ヒータ等が断線したのかを判別可能にすることで修理作業を容易に行えるようにした、断線／短絡検出装置を備えた温水装置を提供することにある。
【０００５】
【課題を解決するための手段及びその作用】
請求項１に記載した温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、前記凍結温度センサが凍結温度以下の温度を検出すると凍結防止運転を行い、さらに、前記断線／短絡検出装置が異常検出信号を出力した場合には、凍結防止運転の設定温度を、異常検出信号が出力される前における凍結防止運転の設定温度よりも高くすることを特徴としている。
【０００６】
請求項１に記載の温水装置にあっては、いずれかの凍結防止用ヒータが断線又は短絡した場合には異常検出信号を出力するので、この異常検出信号に基づいて断線又は短絡状態であることを表示部に表示させたり、警報を鳴らしたりすることができ、凍結防止用ヒータが断線又は短絡した場合には直ちに修理点検を行うことができる。しかも、断線又は短絡した凍結防止用ヒータ（種類、設置場所）に応じて異なる異常検出信号が出力されるので、異常検出信号によって直ちに異常発生箇所を知ることができ、断線又は短絡した凍結防止用ヒータの取替え修理や点検を容易に行うことができる。
また、請求項１に記載の温水装置によれば、断線／短絡検出装置が異常を検出した場合には、凍結防止運転の設定温度を、異常検出信号が出力される前における凍結防止運転の設定温度よりも高くするようにしているので、凍結防止運転が正常時よりも高い温度で開始することになる。よって、凍結防止用ヒータ等が断線していても配管が凍結するのを予防することができる。
【０００７】
なお、断線又は短絡した凍結防止用ヒータに応じて異なる異常検出信号を出力するとは、個々の凍結防止用ヒータ毎に異なる異常検出信号が出力されてもよく、凍結防止用ヒータがグループ分けされていて各グループ毎に異なる異常検出信号が出力されていてもよい。また、異なる異常検出信号とは、典型的には、電圧レベルの異なる信号であるが、これに限るものではない。
【０００８】
請求項２に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、前記凍結温度センサが凍結温度以下の温度を検出すると凍結防止運転を行い、さらに、前記断線／短絡検出装置が異常検出信号を出力した場合には、凍結防止運転の設定温度を、異常検出信号が出力される前における凍結防止運転の設定温度よりも高くすることを特徴としている。
【０００９】
請求項２に記載の温水装置にあっては、凍結防止用ヒータ又は凍結温度センサが断線又は短絡した場合には異常検出信号を出力するので、この異常検出信号に基づいて断線又は短絡状態であることを表示部に表示させたり、警報を鳴らしたりすることができ、凍結防止用ヒータ又は凍結温度センサが断線又は短絡した場合には直ちに修理点検を行うことができる。しかも、凍結防止用ヒータに通電されない原因が凍結防止用ヒータ自体の断線又は短絡によるものか、凍結温度センサの断線又は短絡によって凍結温度になっても凍結防止用ヒータに通電されないのかを直ちに判断することができるので、修理や点検を容易に行うことができる。
また、請求項２に記載の温水装置によれば、断線／短絡検出装置が異常を検出した場合には、凍結防止運転の設定温度を、異常検出信号が出力される前における凍結防止運転の設定温度よりも高くするようにしているので、凍結防止運転が正常時よりも高い温度で開始することになる。よって、凍結防止用ヒータ等が断線していても配管が凍結するのを予防することができる。
【００１０】
請求項３に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、前記凍結温度センサが凍結温度以下の温度を検出すると凍結防止運転を行い、さらに、前記断線／短絡検出装置が異常検出信号を出力した場合には、凍結防止運転の設定温度を、異常検出信号が出力される前における凍結防止運転の設定温度よりも高くすることを特徴としている。
【００１１】
請求項３に記載の温水装置にあっては、凍結温度センサと凍結防止用ヒータの異常検出信号を出力する出力端子とを別々に設けているので、異常検出信号の出力先によって、異常の発生しているのが凍結温度センサであるのか、凍結防止用ヒータであるのかを判別することができる。特に、この方式では、２値デジタル信号のように、出力電圧レベルに制限があるような場合にも適用できる。
また、請求項３に記載の温水装置によれば、断線／短絡検出装置が異常を検出した場合には、凍結防止運転の設定温度を、異常検出信号が出力される前における凍結防止運転の設定温度よりも高くするようにしているので、凍結防止運転が正常時よりも高い温度で開始することになる。よって、凍結防止用ヒータ等が断線していても配管が凍結するのを予防することができる。
【００１２】
請求項４に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、前記熱源器は、追焚き回路によって浴槽に接続され、前記断線／短絡検出装置が異常検出信号を出力した場合には、前記追焚き回路に設けられた循環ポンプを連続運転させるようにしたことを特徴としている。
請求項４に記載の温水装置にあっては、いずれかの凍結防止用ヒータが断線又は短絡した場合には異常検出信号を出力するので、この異常検出信号に基づいて断線又は短絡状態であることを表示部に表示させたり、警報を鳴らしたりすることができ、凍結防止用ヒータが断線又は短絡した場合には直ちに修理点検を行うことができる。しかも、断線又は短絡した凍結防止用ヒータ（種類、設置場所）に応じて異なる異常検出信号が出力されるので、異常検出信号によって直ちに異常発生箇所を知ることができ、断線又は短絡した凍結防止用ヒータの取替え修理や点検を容易に行うことができる。
また、請求項４に記載の温水装置によれば、断線／短絡検出装置が異常を検出した場合には、追焚き回路の循環ポンプを連続運転するので、凍結防止用ヒータ等が断線していても配管が凍結するのを予防することができる。
【００１３】
請求項５に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、前記熱源器は、追焚き回路によって浴槽に接続され、前記断線／短絡検出装置が異常検出信号を出力した場合には、前記追焚き回路に設けられた循環ポンプを連続運転させるようにしたことを特徴としている。
請求項５に記載の温水装置にあっては、凍結防止用ヒータ又は凍結温度センサが断線又は短絡した場合には異常検出信号を出力するので、この異常検出信号に基づいて断線又は短絡状態であることを表示部に表示させたり、警報を鳴らしたりすることができ、凍結防止用ヒータ又は凍結温度センサが断線又は短絡した場合には直ちに修理点検を行うことができる。しかも、凍結防止用ヒータに通電されない原因が凍結防止用ヒータ自体の断線又は短絡によるものか、凍結温度センサの断線又は短絡によって凍結温度になっても凍結防止用ヒータに通電されないのかを直ちに判断することができるので、修理や点検を容易に行うことができる。
また、請求項５に記載の温水装置によれば、断線／短絡検出装置が異常を検出した場合には、追焚き回路の循環ポンプを連続運転するので、凍結防止用ヒータ等が断線していても配管が凍結するのを予防することができる。
【００１４】
請求項６に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、前記熱源器は、追焚き回路によって浴槽に接続され、前記断線／短絡検出装置が異常検出信号を出力した場合には、前記追焚き回路に設けられた循環ポンプを連続運転させるようにしたことを特徴としている。
請求項６に記載の温水装置にあっては、凍結温度センサと凍結防止用ヒータの異常検出信号を出力する出力端子とを別々に設けているので、異常検出信号の出力先によって、異常の発生しているのが凍結温度センサであるのか、凍結防止用ヒータであるのかを判別することができる。特に、この方式では、２値デジタル信号のように、出力電圧レベルに制限があるような場合にも適用できる。
また、請求項６に記載の温水装置によれば、断線／短絡検出装置が異常を検出した場合には、追焚き回路の循環ポンプを連続運転するので、凍結防止用ヒータ等が断線していても配管が凍結するのを予防することができる。
【００１５】
請求項７に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、前記断線／短絡検出装置が異常検出信号を出力した場合には、断線又は短絡を検出されていない凍結防止用ヒータに通電させるようにしたことを特徴としている。
請求項７に記載の温水装置にあっては、いずれかの凍結防止用ヒータが断線又は短絡した場合には異常検出信号を出力するので、この異常検出信号に基づいて断線又は短絡状態であることを表示部に表示させたり、警報を鳴らしたりすることができ、凍結防止用ヒータが断線又は短絡した場合には直ちに修理点検を行うことができる。しかも、断線又は短絡した凍結防止用ヒータ（種類、設置場所）に応じて異なる異常検出信号が出力されるので、異常検出信号によって直ちに異常発生箇所を知ることができ、断線又は短絡した凍結防止用ヒータの取替え修理や点検を容易に行うことができる。
また、請求項７に記載の温水装置によれば、断線／短絡検出装置が異常を検出した場合には、断線又は短絡を検出されていない凍結防止用ヒータに通電させるようにするので、この凍結防止用ヒータからの放射熱や配管等を伝わる熱によって断線している箇所でも凍結予防を行うことができ、断線している凍結防止用ヒータ等の修理が行われるまでの間、応急処置的に凍結事故を防止することができる。
【００１６】
請求項８に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、前記断線／短絡検出装置が異常検出信号を出力した場合には、断線又は短絡を検出されていない凍結防止用ヒータに通電させるようにしたことを特徴としている。
請求項８に記載の温水装置にあっては、凍結防止用ヒータ又は凍結温度センサが断線又は短絡した場合には異常検出信号を出力するので、この異常検出信号に基づいて断線又は短絡状態であることを表示部に表示させたり、警報を鳴らしたりすることができ、凍結防止用ヒータ又は凍結温度センサが断線又は短絡した場合には直ちに修理点検を行うことができる。しかも、凍結防止用ヒータに通電されない原因が当家防止用ヒータ自体の断線又は短絡によるものか、凍結温度センサの断線又は短絡によって凍結温度になっても凍結防止用ヒータに通電されないのかを直ちに判断することができるので、修理や点検を容易に行うことができる。
また、請求項８に記載の温水装置によれば、断線／短絡検出装置が異常を検出した場合には、断線又は短絡を検出されていない凍結防止用ヒータに通電させるようにするので、この凍結防止用ヒータからの放射熱や配管等を伝わる熱によって断線している箇所でも凍結予防を行うことができ、断線している凍結防止用ヒータ等の修理が行われるまでの間、応急処置的に凍結事故を防止することができる。
【００１７】
請求項９に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、前記断線／短絡検出装置が異常検出信号を出力した場合には、断線又は短絡を検出されていない凍結防止用ヒータに通電させるようにしたことを特徴としている。
請求項９に記載の温水装置にあっては、凍結温度センサと凍結防止用ヒータの異常検出信号を出力する出力端子とを別々に設けているので、異常検出信号の出力先によって、異常の発生しているのが凍結温度センサであるのか、凍結防止用ヒータであるのかを判別することができる。特に、この方式では、２値デジタル信号のように、出力電圧レベルに制限があるような場合にも適用できる。
また、請求項９に記載の温水装置によれば、断線／短絡検出装置が異常を検出した場合には、断線又は短絡を検出されていない凍結防止用ヒータに通電させるようにするので、この凍結防止用ヒータからの放射熱や配管等を伝わる熱によって断線している箇所でも凍結予防を行うことができ、断線している凍結防止用ヒータ等の修理が行われるまでの間、応急処置的に凍結事故を防止することができる。
【００１８】
請求項１０に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、前記凍結温度センサの断線が検出された場合には、前記凍結防止用ヒータに通電させるようにしたことを特徴としている。
請求項１０に記載の温水装置にあっては、いずれかの凍結防止用ヒータが断線又は短絡した場合には異常検出信号を出力するので、この異常検出信号に基づいて断線又は短絡状態であることを表示部に表示させたり、警報を鳴らしたりすることができ、凍結防止用ヒータが断線又は短絡した場合には直ちに修理点検を行うことができる。しかも、断線又は短絡した凍結防止用ヒータ（種類、設置場所）に応じて異なる異常検出信号が出力されるので、異常検出信号によって直ちに異常発生箇所を知ることができ、断線又は短絡した凍結防止用ヒータの取替え修理や点検を容易に行うことができる。
また、請求項１０に記載の温水装置によれば、凍結温度センサの断線が検出された場合には凍結防止用ヒータに通電させるようにしているので、凍結温度センサの断線によって凍結防止用ヒータが作動することなく凍結事故につながるのを防止することができる。
【００１９】
請求項１１に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、前記凍結温度センサの断線が検出された場合には、前記凍結防止用ヒータに通電させるようにしたことを特徴としている。
請求項１１に記載の温水装置にあっては、凍結防止用ヒータ又は凍結温度センサが断線又は短絡した場合には異常検出信号を出力するので、この異常検出信号に基づいて断線又は短絡状態であることを表示部に表示させたり、警報を鳴らしたりすることができ、凍結防止用ヒータ又は凍結温度センサが断線又は短絡した場合には直ちに修理点検を行うことができる。しかも、凍結防止用ヒータに通電されない原因が凍結防止用ヒータ自体の断線又は短絡によるものか、凍結温度センサの断線又は短絡によって凍結温度になっても凍結防止用ヒータに通電されないのかを直ちに判断することができるので、修理や点検を容易に行うことができる。
また、請求項１１に記載の温水装置によれば、凍結温度センサの断線が検出された場合には凍結防止用ヒータに通電させるようにしているので、凍結温度センサの断線によって凍結防止用ヒータが作動することなく凍結事故につながるのを防止することができる。
【００２０】
請求項１２に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、前記凍結温度センサの断線が検出された場合には、前記凍結防止用ヒータに通電させるようにしたことを特徴としている。
請求項１２に記載の温水装置にあっては、凍結温度センサと凍結防止用ヒータの異常検出信号を出力する出力端子とを別々に設けているので、異常検出信号の出力先によって、異常の発生しているのが凍結温度センサであるのか、凍結防止用ヒータであるのかを判別することができる。特に、この方式では、２値デジタル信号のように、出力電圧レベルに制限があるような場合にも適用できる。
また、請求項１２に記載の温水装置によれば、凍結温度センサの断線が検出された場合には凍結防止用ヒータに通電させるようにしているので、凍結温度センサの断線によって凍結防止用ヒータが作動することなく凍結事故につながるのを防止することができる。
【００２１】
請求項１３に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、複数の前記凍結防止用ヒータを接続され、いずれかの凍結防止用ヒータが断線又は短絡したとき、断線又は短絡した凍結防止用ヒータに応じて異なる異常検出信号を出力し、前記断線／短絡検出装置が異常検出信号を出力した場合には、前記熱源機を運転開始させることを特徴としている。熱源機の運転は、特に低温燃焼運転が望ましい。
請求項１３に記載の温水装置にあっては、いずれかの凍結防止用ヒータが断線又は短絡した場合には異常検出信号を出力するので、この異常検出信号に基づいて断線又は短絡状態であることを表示部に表示させたり、警報を鳴らしたりすることができ、凍結防止用ヒータが断線又は短絡した場合には直ちに修理点検を行うことができる。しかも、断線又は短絡した凍結防止用ヒータ（種類、設置場所）に応じて異なる異常検出信号が出力されるので、異常検出信号によって直ちに異常発生箇所を知ることができ、断線又は短絡した凍結防止用ヒータの取替え修理や点検を容易に行うことができる。
また、請求項１３に記載の温水装置によれば、断線／短絡検出装置が異常検出信号を出力した場合には、熱源機を運転開始させるようにしているので、熱源機の運転による熱で周囲の配管等も暖めることができ、修理前において応急処置的に周囲の配管等が凍結するのを防止することができる。
【００２２】
請求項１４に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したとき、凍結防止用ヒータが断線又は短絡したときと凍結温度センサが断線又は短絡したときとで、異なる異常検出信号を出力し、前記断線／短絡検出装置が異常検出信号を出力した場合には、前記熱源機を運転開始させることを特徴としている。熱源機の運転は、特に低温燃焼運転が望ましい。
請求項１４に記載の温水装置にあっては、凍結防止用ヒータ又は凍結温度センサが断線又は短絡した場合には異常検出信号を出力するので、この異常検出信号に基づいて断線又は短絡状態であることを表示部に表示させたり、警報を鳴らしたりすることができ、凍結防止用ヒータ又は凍結温度センサが断線又は短絡した場合には直ちに修理点検を行うことができる。しかも、凍結防止用ヒータに通電されない原因が凍結防止用ヒータ自体の断線又は短絡によるものか、凍結温度センサの断線又は短絡によって凍結温度になっても凍結防止用ヒータに通電されないのかを直ちに判断することができるので、修理や点検を容易に行うことができる。
また、請求項１４に記載の温水装置によれば、断線／短絡検出装置が異常検出信号を出力した場合には、熱源機を運転開始させるようにしているので、熱源機の運転による熱で周囲の配管等も暖めることができ、修理前において応急処置的に周囲の配管等が凍結するのを防止することができる。
【００２３】
請求項１５に記載の温水装置は、熱源機と、凍結防止用ヒータと、前記凍結防止用ヒータの断線又は短絡を検出するための断線／短絡検出装置と、凍結温度を検出するための凍結温度センサとを備え、前記凍結温度センサが凍結温度以下の温度を検出すると、前記凍結防止用ヒータを発熱させるようにした温水装置において、前記断線／短絡検出装置は、前記凍結防止用ヒータと前記凍結温度センサとを接続され、該凍結防止用ヒータと該凍結温度センサのいずれかが断線又は短絡したときに異常検出信号を出力し、前記凍結温度センサの異常検出信号を出力する出力端子と前記凍結防止用ヒータの異常検出信号を出力する出力端子とが別々に設けられており、前記断線／短絡検出装置が異常検出信号を出力した場合には、前記熱源機を運転開始させることを特徴としている。熱源機の運転は、特に低温燃焼運転が望ましい。
請求項１５に記載の温水装置にあっては、凍結温度センサと凍結防止用ヒータの異常検出信号を出力する出力端子とを別々に設けているので、異常検出信号の出力先によって、異常の発生しているのが凍結温度センサであるのか、凍結防止用ヒータであるのかを判別することができる。特に、この方式では、２値デジタル信号のように、出力電圧レベルに制限があるような場合にも適用できる。
また、請求項１５に記載の温水装置によれば、断線／短絡検出装置が異常検出信号を出力した場合には、熱源機を運転開始させるようにしているので、熱源機の運転による熱で周囲の配管等も暖めることができ、修理前において応急処置的に周囲の配管等が凍結するのを防止することができる。
【００３０】
【発明の実施の形態】
（第１の実施形態）
図１は熱源機１を中心とした温水供給システムの構成を詳細に示す図である。熱源機１の下部には燃焼室２が設けられており、燃焼室２の側部ではオイルバーナー３が燃焼するようになっている。オイルバーナー３で燃焼させられたオイルの燃焼ガスは、燃焼室２からその上の熱交換部４を通って排気部５へ至り、排気管６から外部へ排出される。熱源機１内部の燃焼室２及び熱交換部４の外側には温水を貯める貯湯槽７が設けられており、貯湯槽７内の湯は燃焼室２及び熱交換部４の熱によって高温に加熱されている。また、貯湯槽７の上部と下部とは循環路８によって結ばれており、循環路８に設けられたポンプ９を運転することによって貯湯槽７内の湯を循環させるようにしている。なお、暖房器具を用いる場合には、暖房器具の温水配管は、この循環路８から延出されている暖房配管接続部１０ａ、１０ｂに接続できるようになっている。
【００３１】
また、貯湯槽７の内部では、熱交換部４を囲むようにして熱交換用の風呂コイル１１が設けられており、風呂コイル１１と浴槽１２のバス金具１３（図２に示す。）との間には風呂往き管１４及び風呂戻り管１５が接続されており、風呂循環ポンプ１６を運転して浴槽１２の湯を風呂戻り管１５→風呂コイル１１→風呂往き管１４という順路で循環させることにより、浴槽１２内の湯を追焚きできるようにしている。
【００３２】
同様に、貯湯槽７の内部で、熱交換部４を囲むようにして熱交換用の給湯コイル１７が設けられており、給湯コイル１７の両端には給水管２０及び給湯管１８が接続され、給水管２０と給湯管１８の間には給湯バイパス管１９が接続されている。給湯管１８と給湯バイパス管１９とはミキシング用水量サーボ弁２１に接続されており、給水管２０から供給された水は給湯コイル１７側とミキシング用水量サーボ弁２１側とへ送られ、給湯コイル１７側へ送られた水は給湯コイル１７で加熱されて給湯管１８へ出湯される。給湯管１８へ出湯された湯と給湯バイパス管１９からミキシング用水量サーボ弁２１へ送られた水とは、ミキシング用水量サーボ弁２１で混合される。ミキシング用水量サーボ弁２１で設定温度に調節された湯は、出湯管２２からカラン等の出湯端末２３へ供給される。また、出湯管２２から出湯される湯は、落とし込み管２４を介して風呂戻り管１５及び風呂往き管１４から浴槽１２内に落とし込まれる。
【００３３】
上記のような温水供給システムにおいては、熱源機１の外部において給湯路（給水管２０や給湯管１８、出湯管２２等）に凍結防止用ヒータ２５を設けたり、風呂追焚き回路（風呂往き管１４や風呂戻り管１５、風呂循環ポンプ１６近傍）に凍結防止用ヒータ３３を設けたり、熱源機１の内部においてオイルバーナー３の近傍に凍結防止用ヒータ２６を設けたり、適宜必要な位置に凍結防止用のヒータを設ける。また、図１には示していないが、熱源機１の内部には凍結温度を検出して、温水供給システムで凍結防止運転を行わせるための凍結温度検知センサを設ける。
【００３４】
図２は上記熱源機１を屋外に設置した状態を示している。熱源機１はマンションのベランダや屋上等の屋外に設置され、専用のボイラハウス２７内に納められている。ここでは凍結防止用ヒータは、ボイラハウス２７内で給湯路に設けられており、また熱源機１の内部でオイルバーナ３の近傍に設けられている。給湯路の凍結防止用ヒータ２５は、給水管２０と給湯管１８に巻きつけられ、金属ホイルや断熱材によって覆われている。
【００３５】
ここでは、器具外ヒータとして凍結防止用ヒータ２５を給湯路に設けて配管の凍結を防止し、器具内ヒータとして凍結防止用ヒータ２６を熱源機１の内部に設けているが、以下においては、この凍結防止用ヒータ２５を器具外ヒータといい、凍結防止用ヒータ２６を器具内ヒータという。なお、器具外ヒータは、風呂追焚き回路にもうけられた凍結防止用ヒータ３３、あるいは給湯路の凍結防止用ヒータ２５及び風呂追焚き回路の凍結防止用ヒータ３３の双方であってもよいのは言うまでもない。
【００３６】
ボイラハウス２７内には、熱源機１と共に断線検出ユニット２８が設けられており、断線検出ユニット２８には器具外ヒータ２５と器具内ヒータ２６が接続されている。断線検出ユニット２８は両ヒータ２５、２６を通電制御すると共にその断線を監視している。また、断線検出ユニット２８は、熱源機１内のメインコントローラ２９と信号の送受信を行えるよう信号線３０によって結ばれている。さらに、熱源機１の近傍には、周囲温度を監視し凍結温度を検知するための温度センサ（凍結温度検知センサ）３１が設けられており、凍結温度検知センサ３１の検知温度はメインコントローラ２９を介して、あるいは直接に断線検出ユニット２８に送られている。
【００３７】
断線検出ユニット２８は器具外ヒータ２５と器具内ヒータ２６の断線を監視しており、器具外ヒータ２５と器具内ヒータ２６のうち少なくとも一方が断線すると、メインコントローラ２９へ断線検出信号を出力し、しかも、器具外ヒータ２５のみが断線したときと、器具内ヒータ２６のみが断線したときと、双方が断線したときとで異なる電圧レベルのアナログ断線検出信号を出力する。
【００３８】
断線検出ユニット２８は、メインコントローラ２９を介して、あるいは直接に、台所に設置されたリモートコントローラ（台所用リモコン）３４と浴室に設置されたリモートコントローラ（風呂用リモコン）３５に接続されており、断線検出ユニット２８からの信号に基づいてメインコントローラ２９から台所用リモコン３４や風呂用リモコン３５に断線検出信号が出力されると、各リモコン３４、３５の時刻表示部３６、３８から時刻表示が消えて、代わりにエラー表示される。このエラー表示は、断線検出ユニット２８からの断線検出信号の電圧レベル（断線したヒータの種類）によって、例えば０３Ｃ、０６Ｃというように異なった表示となる。従って、このエラー表示によって器具外ヒータ２５又は器具内ヒータ２６の断線事故が起きていることが報知されると共に断線している凍結防止用ヒータがどのヒータかも分かる。また、エラー表示だけでなく、スピーカ３７、３９から音で警報を鳴らすようにしてもよい。
【００３９】
断線時の異常表示は、断線検出ユニット２８自体に表示するようにしてもよいが、この実施形態のように、風呂用リモコン３５や台所用リモコン３４に断線時のエラー表示をするようにすれば、断線検出時に異常表示するための別リモコンが不要になり、リモコンの省スペース設置とコストダウンを図ることができる。しかも、断線時には断線箇所まで分かるようリモコンに表示できるので、利用者にとっても分かり易く、修理も容易に行える。
【００４０】
図４は上記断線検出ユニット２８における、器具外ヒータ２５と器具内ヒータ２６の断線を検出するための回路を示す図である。この断線検出回路を説明する。スイッチ４１及び４４は、凍結温度センサ３１が凍結温度以下の温度を検知したときに作動して閉じるリレーのスイッチである。スイッチ４１とフォトカプラの発光部４２を含む回路とが並列に接続され、これに器具外ヒータ２５が直列に接続されている。同様に、スイッチ４４とフォトカプラの発光部４５を含む回路とが並列に接続され、これに器具内ヒータ２６が直列に接続されている。これらの器具外ヒータ２５を含む並直列回路と、器具内ヒータ２６を含む並直列回路と、コンデンサ４７とを並列に接続し、その両端に交流電源４８をつないでいる。従って、スイッチ４１が閉じられている場合には、器具外ヒータ２５に交流電流が流れて発熱するが、スイッチ４１が開かれている場合には、フォトカプラの発光部４２と直列に高抵抗が接続されているため、フォトカプラの発光部４２を通して微弱電流が流れるだけであるので、発光部４２は発光するが、器具外ヒータ２５は発熱しない。同様に、スイッチ４４が閉じられている場合には、器具内ヒータ２６に交流電流が流れて発熱するが、スイッチ４４が開かれている場合には、フォトカプラの発光部４５と直列に高抵抗が接続されているため、フォトカプラの発光部４５を通して微弱電流が流れるだけであるので、発光部４５は発光するが、器具内ヒータ２６は発熱しない。
【００４１】
器具外ヒータ２５に交流電流を流す電流通路には、ＣＴ電流センサ４９の検出コイルが巻かれている。ＣＴ電流センサ４９は、器具外ヒータ２５に流れる交流電流を検出することによって器具外ヒータ２５の通電／非通電状態を判別する。すなわち、スイッチ４１が閉じていて器具外ヒータ２５が通電状態の場合には、大きな電流が検出され、スイッチ４１が開いた非通電状態（微弱電流の流れている状態）の場合には、微弱な電流しか検出されない。ＣＴ電流センサ４９の出力は増幅回路５０によって増幅された後、整流平滑回路５１を経てコンパレータ５２で基準電圧と比較される。ＣＴ電流センサ４９が通電状態を検出している場合には、コンパレータ５２からは電圧レベルＬ（低）の信号が出力され、非通電状態を検出している場合には、コンパレータ５２からは電圧レベルＨ（高）の信号が出力される。このコンパレータ５２からの出力は、ナンドゲート５５の一方の入力端子に接続されている。すなわち、器具外ヒータ２５が断線していない場合には、ナンドゲート５５の一方の入力端子への入力は、スイッチ４１がオンになっていて器具外ヒータ２５が通電している状態ではＬ信号、スイッチがオフになっていて器具外ヒータ２５が非通電の状態ではＨ信号となる。
【００４２】
一方、フォトカプラの受光部５４と抵抗５３とを直列に接続し、フォトカプラの受光部５４を接地すると共に抵抗５３側に電源電圧を印加してあり、フォトカプラの受光部５４と抵抗５３との接続点の電圧を抵抗等を介して上記ナンドゲート５５の他方の入力端子に接続している。スイッチ４１が閉じられていて器具外ヒータ２５が通電状態となっている場合には、フォトカプラの発光部４２は発光せず、従って受光部５４も受光せず高抵抗状態となっているので、ナンドゲート５５の他方の入力端子には、電圧レベルＨ（高）の信号が出力される。これに対し、スイッチ４１が開かれていて器具外ヒータ２５が非通電状態となっている場合には、フォトカプラ４２には高抵抗を介して微小電流が流れ、フォトカプラの発光部４２が発光し、受光部５４も受光して導通状態となっているので、ナンドゲート５５の他方の入力端子には、電圧レベルＬ（低）の信号が出力される。すなわち、器具外ヒータ２５が断線していない場合には、ナンドゲート５５の他方の入力端子への入力は、スイッチ４１がオンになっていて器具外ヒータ２５が通電状態となっているときにはＨ信号となり、スイッチ４１がオフになっていて器具外ヒータ２５が非通電の状態となっているときにはＬ信号となる。
【００４３】
従って、器具外ヒータ２５が断線していない場合には、スイッチ４１がオンになっていて器具外ヒータ２５が通電発熱しているときも、スイッチ４１がオフになっていて器具外ヒータ２５が非通電状態で発熱していないときも、ナンドゲート５５の入力はＨ信号とＬ信号の組み合わせになるので、ナンドゲート５５の出力は常にＨ信号となる。
【００４４】
これに対し、器具外ヒータ２５が断線した場合を考えると、スイッチ４１がオンになっていてもオフになっていても器具外ヒータ２５には電流が流れず、ＣＴ電流センサ４９によって電流が検出されないので、（スイッチ４１がオフになっている場合と同様）ナンドゲート５５への一方の入力は常にＨ信号となる。一方、器具外ヒータ２５が断線した場合には、スイッチ４１がオンになっていてもオフになっていてもフォトカプラの発光部４５は発光しないので、受光部５４も非受光状態となり、ナンドゲート５５への他方の入力は常にＨ信号となる。従って、器具外ヒータ２５が断線した場合には、スイッチ４１のオン、オフにかかわりなく、ナンドゲート５５の入力はいずれもＨ信号となるので、ナンドゲート５５の出力は常にＬ信号となる。
【００４５】
よって、図４に示す断線検出ユニット２８における器具外ヒータ２５の断線の具体的な検出動作は次のようになる。スイッチ４１がオンになっているときは、ＣＴ電流センサ４９の検出動作に基づき判断し、スイッチ４１がオフのときには、フォトカプラ４２、５４の検出動作により判断する。まず、スイッチ４１がオフになっているときの検出動作について説明すると、器具外ヒータ２５が断線していないときには、フォトカプラの発光部４２に微小電流が流れてフォトカプラの受光部５４をオンにし、ナンドゲート５５にＬ信号を入力し、ナンドゲート５５からＨ信号を出力する。しかし、器具外ヒータ２５が断線しているときには、フォトカプラの発光部４２に電流は流れず、フォトカプラの受光部５４がオフするので、ナンドゲート５５にＨ信号を入力する。このときＣＴ電流センサ４９は電流を検出せず、コンパレータ５２からナンドゲート５５にＨ信号を出力しているので、ナンドゲート５５からはＬ信号が出力され、断線として処理される。
【００４６】
一方、スイッチ４１がオンになっているときには、フォトカプラの発光部４２には電流が流れず、フォトカプラの受光部５４はオフになってナンドゲート５５へＨ信号を出力している。そして、器具外ヒータ２５が断線していない場合には、器具外ヒータ２５に電流が流れているためＣＴ電流センサ４９は電流を検出してコンパレータ５２からナンドゲート５５にＬ信号を出力する。よって、器具外ヒータ２５が断線していない場合には、ナンドゲート５５からはＨ信号が出力される。ここで、器具外ヒータ２５が断線していると、器具外ヒータ２５に電流が流れず、ＣＴ電流センサ４９は電流を検出しないので、コンパレータ５２からナンドゲート５５にＨ信号を出力する。このとき、器具外ヒータ２５の断線によってフォトカプラの受光部５４はオフとなり、ナンドゲート５５にＨ信号を出力したままであるため、ナンドゲート５５からはＬ信号が出力され、断線として処理される。
【００４７】
以上の動作より、この断線検出ユニット２８においては、スイッチ４１のオン、オフにかかわらず、器具外ヒータ２５が断線している場合にはナンドゲート５５の出力はＬ信号となり、器具外ヒータ２５が断線していない場合には、ナンドゲート５５の出力はＨ信号となるので、ナンドゲート５５の出力によって器具外ヒータ２５の断線の有無を監視することができる、ことが分かる。
【００４８】
同様に、器具内ヒータ２６に交流電流を流す電流通路にも、ＣＴ電流センサ５６の検出コイルが巻かれている。ＣＴ電流センサ５６は、器具内ヒータ２６に流れる交流電流を検出することによって器具内ヒータ２６の通電／非通電状態を判別する。すなわち、スイッチ４４が閉じていて器具内ヒータ２６が通電状態の場合には、大きな電流が検出され、スイッチ４４が開いた非通電状態（微弱電流の流れている状態）の場合には、微弱な電流しか検出されない。ＣＴ電流センサ５６の出力は増幅回路５７によって増幅された後、整流平滑回路５８を経てコンパレータ５９で基準電圧と比較される。ＣＴ電流センサ５６が通電状態を検出している場合には、コンパレータ５９からは電圧レベルＬ（低）の信号が出力され、非通電状態を検出している場合には、コンパレータ５９からは電圧レベルＨ（高）の信号が出力される。このコンパレータ５９からの出力は、ナンドゲート６２の一方の入力端子に接続されている。すなわち、器具内ヒータ２６が断線していない場合には、ナンドゲート６２の一方の入力端子への入力は、スイッチ４４がオンになっていて器具内ヒータ２６が通電している状態ではＬ信号、スイッチがオフになっていて器具内ヒータ２６が非通電の状態ではＨ信号となる。
【００４９】
一方、フォトカプラの受光部６１と抵抗６０とを直列に接続し、フォトカプラの受光部６１を接地すると共に抵抗６０側に電源電圧を印加してあり、フォトカプラの受光部６１と抵抗６０との接続点の電圧を抵抗等を介して上記ナンドゲート６２の他方の入力端子に接続している。スイッチ４４が閉じられていて器具内ヒータ２６が通電状態となっている場合には、フォトカプラの発光部４５は発光せず、従って受光部６１も受光せず高抵抗状態となっているので、ナンドゲート６２の他方の入力端子には、電圧レベルＨ（高）の信号が出力される。これに対し、スイッチ４４が開かれていて器具内ヒータ２６が非通電状態となっている場合には、フォトカプラ４２には高抵抗を介して微小電流が流れ、フォトカプラの発光部４５が発光し、受光部６１も受光して導通状態となっているので、ナンドゲート６２の他方の入力端子には、電圧レベルＬ（低）の信号が出力される。すなわち、器具内ヒータ２６が断線していない場合には、ナンドゲート６２の他方の入力端子への入力は、スイッチ４４がオンになっていて器具内ヒータ２６が通電状態となっているときにはＨ信号となり、スイッチ４４がオフになっていて器具内ヒータ２６が非通電の状態となっているときにはＬ信号となる。
【００５０】
従って、器具内ヒータ２６が断線していない場合には、スイッチ４４がオンになっていて器具内ヒータ２６が通電発熱しているときも、スイッチ４４がオフになっていて器具内ヒータ２６が非通電状態で発熱していないときも、ナンドゲート６２の入力はＨ信号とＬ信号の組み合わせになるので、ナンドゲート６２の出力は常にＨ信号となる。
【００５１】
これに対し、器具内ヒータ２６が断線した場合を考えると、スイッチ４４がオンになっていてもオフになっていても器具内ヒータ２６には電流が流れず、ＣＴ電流センサ５６によって電流が検出されないので、（スイッチ４４がオフになっている場合と同様）ナンドゲート６２への一方の入力は常にＨ信号となる。一方、器具内ヒータ２６が断線した場合には、スイッチ４４がオンになっていてもオフになっていてもフォトカプラの発光部４５は発光しないので、受光部６１も非受光状態となり、ナンドゲート６２への他方の入力は常にＨ信号となる。従って、器具内ヒータ２６が断線した場合には、スイッチ４４のオン、オフにかかわりなく、ナンドゲート６２の入力はいずれもＨ信号となるので、ナンドゲート６２の出力は常にＬ信号となる。
【００５２】
よって、図４に示す断線検出ユニット２８における器具内ヒータ２６の断線の具体的な検出動作は次のようになる。スイッチ４４がオンになっているときは、ＣＴ電流センサ５６の検出動作に基づき判断し、スイッチ４４がオフのときには、フォトカプラ４５、６１の検出動作により判断する。まず、スイッチ４４がオフになっているときの検出動作について説明すると、器具内ヒータ２６が断線していないときには、フォトカプラの発光部４５に微小電流が流れてフォトカプラの受光部６１をオンにし、ナンドゲート６２にＬ信号を入力し、ナンドゲート６２からＨ信号を出力する。しかし、器具内ヒータ２６が断線しているときには、フォトカプラの発光部４５に電流は流れず、フォトカプラの受光部６１がオフするので、ナンドゲート６２にＨ信号を入力する。このときＣＴ電流センサ５６は電流を検出せず、コンパレータ５９からナンドゲート６２にＨ信号を出力しているので、ナンドゲート６２からはＬ信号が出力され、断線として処理される。
【００５３】
一方、スイッチ４４がオンになっているときには、フォトカプラの発光部４５には電流が流れず、フォトカプラの受光部６１はオフになってナンドゲート６２へＨ信号を出力している。そして、器具内ヒータ２６が断線していない場合には、器具内ヒータ２６に電流が流れているためＣＴ電流センサ５６は電流を検出してコンパレータ５９からナンドゲート６２にＬ信号を出力する。よって、器具内ヒータ２６が断線していない場合には、ナンドゲート６２からはＨ信号が出力される。ここで、器具内ヒータ２６が断線していると、器具内ヒータ２６に電流が流れず、ＣＴ電流センサ５６は電流を検出しないので、コンパレータ５９からナンドゲート６２にＨ信号を出力する。このとき、器具内ヒータ２６の断線によってフォトカプラの受光部６１はオフとなり、ナンドゲート６２にＨ信号を出力したままであるため、ナンドゲート６２からはＬ信号が出力され、断線として処理される。
【００５４】
以上の動作より、この断線検出ユニット２８においては、スイッチ４４のオン、オフにかかわらず、器具内ヒータ２６が断線している場合にもナンドゲート６２の出力はＬ信号となり、器具内ヒータ２６が断線していない場合には、ナンドゲート６２の出力はＨ信号となるので、ナンドゲート６２の出力によって器具内ヒータ２６の断線の有無を監視することができる、ことが分かる。
【００５５】
器具外ヒータ２５側のナンドゲート５５の出力と器具内ヒータ２６側のナンドゲート６２の出力とは、それぞれデジタル／アナログ（Ｄ／Ａ）変換回路６３の器具内側入力６３ａと器具外側入力６３ｂに接続されており、Ｄ／Ａ変換回路６３の出力はバッファ回路６４を経てアナログ出力端子６５から出力される。
【００５６】
Ｄ／Ａ変換回路６３は、２つの入力６３ａ、６３ｂに対して非対称となっており、Ｄ／Ａ変換回路６３、バッファ回路６４及びアナログ出力端子６５の間では、例えば
器具内側入力(63a)Ｌ、器具外側入力(63b)Ｌ → アナログ出力５Ｖ
器具内側入力(63a)Ｌ、器具外側入力(63b)Ｈ → アナログ出力３Ｖ
器具内側入力(63a)Ｈ、器具外側入力(63b)Ｌ → アナログ出力１Ｖ
器具内側入力(63a)Ｈ、器具外側入力(63b)Ｈ → アナログ出力なし
という入出力関係を有している。従って、アナログ出力端子６５の出力がなければ、器具外ヒータ２５にも器具内ヒータ２６にも異常がなく、アナログ出力端子６５の出力が１ボルトであれば、器具外ヒータ２５のみが断線、アナログ出力端子６５の出力が３ボルトであれば、器具内ヒータ２６のみが断線、アナログ出力端子６５の出力が５ボルトであれば、器具外ヒータ２５も器具内ヒータ２６も断線していると判断される。アナログ出力端子６５は風呂用リモコン３５や台所用リモコン３４に接続され、風呂用リモコン３５や台所用リモコン３４は、断線検出ユニット２８の判断結果に応じたエラー表示等を行う。なお、Ｄ／Ａ変換回路６３からの出力を上記のように変化させるには、入力に対して対称なＤ／Ａ変換回路６３を用い、２つのナンドゲート５５、６２の出力電圧を異ならせておいてもよい。なお、ここで用いたアナログ出力値は例であって、これらの値に限るものでなく、また範囲をもっていてもよい。
【００５７】
図５は上記のような断線検出ユニット２８を備えた温水供給システムの具体的な断線検出処理動作を表したフロー図である。メインコントローラ２９は断線検出ユニット２８によって断線が検出されたか否か監視しており（ステップＳ１）、断線検出ユニット２８から断線検出信号を受信すると、検出状態が一定時間（例えば、１０秒）継続するか否か確認する（ステップＳ２）。
【００５８】
検出状態が一定時間継続したことを確認すると、断線検出ユニット２８からの断線検出信号の電圧レベルから断線箇所を判断する。すなわち断線検出信号の電圧レベルが５ボルトであれば（ステップＳ３）、器具外ヒータ２５及び器具内ヒータ２６の断線であると判断し（ステップＳ４）、その旨の故障表示ををリモコン３４、３５に表示すると共に警報を鳴らす（ステップＳ５）。また、断線検出信号の電圧レベルが３ボルトであれば（ステップＳ６）、器具内ヒータ２６のみの断線であると判断し（ステップＳ７）、その旨の故障表示をリモコン３４、３５で行うと共に警報を鳴らす（ステップＳ８）。また、断線検出信号の電圧レベルが３ボルト以下（１ボルト）であれば、器具外ヒータ２５の断線であると判断し（ステップＳ９）、その旨の故障表示を行うと共に警報を鳴らす（ステップＳ１０）。このように故障表示により視覚に訴えるだけでなく、警報を併用することにより注意喚起効果を大きくでき、凍結の防止がはかれる。
【００５９】
こうして故障表示を行い、警報を鳴らした後、直ちに断線が非検出状態になっていないか再検査する（ステップＳ１１）。断線の非検出状態が検知され、しかも一定時間（例えば、２秒）非検出状態が継続した場合には（ステップＳ１２）、故障表示と警報を解除する（ステップＳ１３）。ただし、ステップＳ１１で断線検出状態のままであっても、熱源機１の運転スイッチが操作されれば（ステップＳ１４）警報のみは解除する（ステップＳ１５）。
【００６０】
このような処理手順によれば、断線検出状態が一定時間（例えば、１０秒間）継続した時に、故障表示し警報を鳴らすようにしているので、瞬時の誤信号による断線の誤検出を防止でき、信頼性を高めることができる。特に、警報を鳴らす場合には、誤検出防止は必須となる。
【００６１】
また、断線検出による警報中でも、運転スイッチを操作することで警報のみは解除できるようにしているので、利用者がうるさいと感じれば警報を停止させることができる。しかも、故障表示中でも熱源機の運転は可能であるため、警報を停止させて普通に熱源機１を運転させることができる。
【００６２】
さらに、いったん断線検出状態となった後も断線非検出状態が一定時間（例えば、２秒間）継続すれば故障表示及び警報を解除するようにしているので、誤検出により瞬間的に断線検出状態となり、故障表示と警報が作動しても断線非検出状態を検知することで直ちに故障表示と警報が解除され、誤検出防止がより確実になる。なお、断線検出時に比べ、断線非検出時の状態継続時間の方が短くなっていることが望ましい。断線非検出時の状態継続時間の方を短くすることにより、誤検出防止のため断線検出には十分に時間をかけたいことと、断線非検出時には直ちに正常に戻しても問題ないからである。
【００６３】
なお、断線検知で警報が鳴っているとき、運転スイッチを操作すると警報が解除されるようにしていたが、専用のキャンセルスイッチやリモコン上の他のスイッチによって警報を解除するようにしてもよい。
【００６４】
また、ここでは断線の場合について説明したが、器具外ヒータ２５が断線又は短絡した場合に異常を検出するようにしてもよい。この場合には、コンパレータ５２に非通電状態と過大電流を検出するための２つのしきい値を設定しておき、コンパレータ５２に入力される電圧が２つのしきい値の中間にある場合には、正常であると判断する。また、器具外ヒータ２５が断線した場合には、ＣＴ電流センサ４９が電流を検出できず、コンパレータ５２への入力電圧がほぼ０ボルトとなるので、コンパレータ５２への入力電圧が低い方のしきい値よりも小さくなった時には、器具外ヒータ２５の断線であると判断する。また、器具外ヒータ２５が短絡した場合には、ＣＴ電流センサ４９が過大な電流を検出し、コンパレータ５２への入力電圧が高い方のしきい値よりも大きくなった時には、器具外ヒータ２５の短絡であると判断する。
【００６５】
（第２の実施形態）
図６は断線検出ユニット２８を備えた温水供給システムの別な断線検出処理動作を表したフロー図である。この実施形態においては、ステップＳ１〜Ｓ１０までの動作は、図５の場合と同じであるから説明は省略する。
【００６６】
この実施形態では、いずれかのヒータの断線が検出された場合には、熱源機１の運転スイッチがオフになっているか否か検査し（ステップＳ１９）、運転スイッチがオフになっていれば、熱源機を燃焼運転させる（ステップＳ２０）。燃焼運転は低温（リモコン設定が低い側の）燃焼設定で運転するのが好ましいが、低温運転でなくてもよい。
【００６７】
この実施形態によれば、ヒータの断線を検知した場合、運転スイッチがオフになっていれば、熱源機１を燃焼運転させるので、機具内ヒータ２６が断線していても機具内を保温でき、かつ、器具外ヒータを設けられている配管側も燃焼による配管からの伝熱によってある程度の保温効果を得ることができる、応急処置的に器具内外を暖めることができる。
【００６８】
なお、第１及び第２の実施形態では、器具外ヒータ２５と器具内ヒータ２６との断線を区別する場合について説明したが、図７に示すように、同様にして、同じ器具外ヒータである給湯路の凍結防止用ヒータ２５と風呂追焚き回路の凍結防止用ヒータ６６との断線を区別することも容易に行える。
【００６９】
（第３の実施形態）
図８は本発明のさらに別な実施形態による温水供給システムの構成を示す。この実施形態では、給湯路に凍結防止用ヒータ２５を設け、風呂追焚き回路に凍結防止用ヒータ６６を設け、熱源機１の内部にも凍結防止用ヒータ２６を設けてある。そして、凍結防止用ヒータ２５、２６、６６及び凍結温度センサ３１が断線検出ユニット２８に接続されている。断線検出ユニット２８は、このうち凍結防止用ヒータ２５、凍結防止用ヒータ６６、凍結温度センサ３１のうち、いずれかに断線が発生したらこれを検出して断線検出信号を出力すると共に、断線が器具外センサである凍結防止用ヒータ２５又は凍結防止用ヒータ６６側であるのか、凍結温度センサ３１であるのかを判別して異なる電圧レベルの断線検出信号を出力するものである。
【００７０】
図９は、断線検出ユニット２８において、上記のような動作を行わせるための断線検出回路の構成を示す図である。この断線検出回路のうち、凍結防止用ヒータ２５の断線を検出する部分は、図４に示した断線検出回路と同じである。また、凍結防止用ヒータ６６の断線を検出する部分も、図４に示した断線検出回路のうち凍結防止用ヒータ（器具内ヒータ）２６の断線を検出する部分と同じであるので、この部分については、同一部材には同一符号を付している。
【００７１】
しかして、図９におけるナンドゲート５５からは、凍結防止用ヒータ２５が断線している場合にのみ電圧レベルＬの検出信号が出力され、ナンドゲート６２からは、凍結防止用ヒータ６６が断線している場合にのみ電圧レベルＬの検出信号が出力される。よって、両ナンドゲート５５、６２が接続されているナンドゲート７１からは、凍結防止用ヒータ２５と凍結防止用ヒータ６６のうちいずれかに断線が生じているときに電圧レベルＨの検出信号が出力される。
【００７２】
一方、凍結温度センサ３１は、両側に抵抗７２、７３を直列に接続され、それらの一端に電源電圧を印加すると共に他端を接地している。そして、凍結温度センサ３１とその接地側の抵抗７３との間の接続点の電圧をバッファ回路７４に入力している。さらに、バッファ回路７４の出力はコンパレータ７５及びコンパレータ８５に出力されている。コンパレータ７５は、入力される電圧により凍結温度センサ３１の検出温度を検出するためのものであり、凍結防止温度（例えば４℃）に対応する電圧以下になれば出力がＨ信号に反転するように基準電圧を調整されており、それ以上の温度では出力がＬ信号となる。
【００７３】
コンパレータ８５は、第１の基準電圧とそれより高い第２の基準電圧との２つの基準電圧を有しており、その２つの基準電圧範囲内にバッファ回路７４から出力される信号が属しておれば正常状態であり、Ｌ信号を出力する。しかし、凍結温度センサ３１が断線すると、バッファ回路７４の出力は０ボルト付近になり、２つの基準電圧範囲内をはずれ、コンパレータ８５からはＨ信号が出力される。また、凍結温度センサ３１が短絡すると、バッファ回路７４の出力は抵抗７２、７３の分圧で決まる電圧値となり、２つの基準電圧範囲内を高い方に外れ、コンパレータ８５からはＨ信号が出力される。
【００７４】
コンパレータ７５とコンパレータ８５との出力は、オアゲート８６に入力され、オアゲート８６からヒータ駆動回路８７に出力されている。ヒータ駆動回路８７は、オアゲート８６からＨ信号を入力されると駆動され、リレー７６及び７７を励磁する。従って、周囲温度が下がって、凍結温度センサ３１が設定されている凍結防止温度（例えば４℃）以下の周囲温度を検出すると、コンパレータ７５からＨ信号が出力され、オアゲート８６からヒータ駆動回路８７にＨ信号が入力されるので、これによりリレー７６及び７７が励磁され、凍結防止用ヒータ２５と直列に入っているリレー７６のスイッチ４１がオンになり、凍結防止用ヒータ６６と直列に入っているリレー７７のスイッチ４２もオンになり、各凍結防止用ヒータ２５、６６が発熱して配管の凍結を防止する。
【００７５】
また、凍結温度センサ３１が断線あるいは短絡すれば、コンパレータ８５からオアゲート８６にＨ信号が入力され、オアゲート８６からヒータ駆動回路８７にＨ信号が入力されるので、これによりリレー７６及び７７が励磁される。そのスイッチ４１及び４４がオンとなり、各凍結防止用ヒータ２５、６６が発熱する。この場合には、周囲温度が凍結防止温度以下であるかどうか不明であるが、凍結温度センサ３１が故障しているので、とりあえず凍結防止用ヒータ２５、６６を発熱させて配管の凍結を予防又は防止する。
【００７６】
凍結防止用ヒータ２５、６６の断線を監視する信号を出力するためのナンドゲート７１の出力と、凍結温度センサ３１の断線又は短絡を監視するためのコンパレータ８５の出力とは、それぞれＤ／Ａ変換回路７８の入力７８ａ、７８ｂに入力されており、Ｄ／Ａ変換回路７８の出力はバッファ回路７９を経てアナログ出力端子８０から出力される。Ｄ／Ａ変換回路７８の入力部分とアナログ出力端子８０との間では、例えば
ヒータ側入力(78a)Ｌ、センサ側入力(78b)Ｌ → アナログ出力2.5Ｖ
ヒータ側入力(78a)Ｈ、センサ側入力(78b)Ｈ → アナログ出力1.25Ｖ
ヒータ側入力(78a)Ｈ、センサ側入力(78b)Ｌ → アナログ出力0.625Ｖ
ヒータ側入力(78a)Ｌ、センサ側入力(78b)Ｈ → アナログ出力なし
という入出力関係を有している。従って、アナログ出力端子８０の出力がなければ、凍結防止用ヒータ２５にも凍結防止用ヒータ６６にも凍結温度センサ３１にも異常がなく、アナログ出力端子８０の出力が０.６２５ボルトであれば、器具外ヒータ（凍結防止用ヒータ２５又は凍結防止用ヒータ６６）と凍結温度センサ３１が断線（又は短絡）、アナログ出力端子８０の出力が１.２５ボルトであれば、器具外ヒータ２５又は６６のみが断線、アナログ出力端子８０の出力が２.５ボルトであれば、凍結温度センサ３１のみが断線又は短絡していると判断される。なお、ここで用いたアナログ出力値は例であって、これらの値に限るものでなく、また範囲をもっていてもよい。
【００７７】
よって、この実施形態にあっては、凍結防止用ヒータ２５及び６６、凍結温度センサ３１のうちいずれかに断線又は短絡による異常があった場合には、直ちに異常検出信号が出力され、台所用リモコン３４や風呂用リモコン３５に異常の発生が表示されると共に警報で報知される。また、アナログ出力端子８０からの出力電圧レベルに応じて異なる異常信号（エラーコード）が表示されるので、一目で断線箇所を確認することができる。
【００７８】
さらに、図９の回路では、ナンドゲート７１からの出力をバッファ回路８１を介してデジタル出力端子８２へ送っている。また、コンパレータ８５の出力もバッファ回路８３を介してデジタル出力端子８４へ送っている。従って、デジタル出力端子８２から出力される断線検出信号の電圧レベルからは、凍結防止用ヒータ２５又は６６の断線を監視することができ、デジタル出力端子８４から出力される断線検出信号の電圧レベルからは、凍結温度センサ３１の断線を監視することができる。よって、両デジタル出力端子８２、８４の出力によって凍結防止用ヒータ２５、６６の断線と凍結温度センサ３１の断線又は短絡とを個別に監視することができ、あるいは両出力を合わせて総合的に監視することができる。
【００７９】
断線検出ユニット２８からの断線検出信号の出力先は、通常マイクロコンピュータによって構成されているが、マイクロコンピュータのＡ／Ｄポートはサーモデータ等で多数使用されている。このためＡ／Ｄポートの空きがないと、断線検出ユニットの２８のアナログ出力端子８０から断線検出信号を出力することができない。このような場合、この実施形態では、アナログ出力端子８０以外にも、デジタル出力端子８２、８４を設け、ここからも断線検出信号を出力できるようにしているので、マイクロコンピュータの種類や空きポートの状態などに応じてアナログとデジタルのうち任意の信号形式に切り替えることができる。よって、メインコントローラ２９内のマイクロコンピュータに対する制約が少なくなり、安価なマイクロコンピュータを使用することが可能となる。
【００８０】
図１０は上記実施形態のような断線検出ユニット２８を備えた温水供給システムの具体的な断線検出処理動作を表したフロー図である。メインコントローラ２９は断線検出ユニット２８によって断線が検出されたか否か監視しており（ステップＳ２１）、断線検出ユニット２８から断線検出信号を受信すると、検出状態が一定時間（例えば、１０秒）継続するか否か確認する（ステップＳ２２）。
【００８１】
検出状態が一定時間継続したことを確認すると、断線検出ユニット２８からの断線検出信号の電圧レベルから断線（又は短絡）箇所を判断する。すなわち、断線検出信号の電圧レベルが２.５ボルトであれば（ステップＳ２３）、凍結温度センサ３１のみの断線であると判断し（ステップＳ２４）、その旨の故障表示をリモコン３４、３５で行うと共に警報を鳴らす（ステップＳ２５）。また、断線検出信号の電圧レベルが１.２５ボルトであれば（ステップＳ２６）、器具外ヒータ２５又は６６の断線であると判断し（ステップＳ２７）、その旨の故障表示を行うと共に警報を鳴らす（ステップＳ２８）。また、断線検出信号の電圧レベルが０.６２５ボルトであれば（ステップＳ２９）、器具外ヒータ２５又は６６と凍結温度センサ３１の断線であると判断し（ステップＳ３０）、その旨の故障表示ををリモコン３４、３５に表示すると共に警報を鳴らす（ステップＳ３１）。また、これら以外の場合には、正常であると判断する（ステップＳ３２）。
【００８２】
こうしていずれかの断線又は短絡を検出して故障表示を行い警報を鳴らした場合には、強制的に風呂循環ポンプ１６を連続運転させ、風呂追焚き回路内で湯を循環させて風呂追焚き回路配管の凍結を防止する（ステップＳ３４）。これに対し、正常である場合（ステップＳ３２）には、風呂循環ポンプ１６等を運転して通常の凍結防止運転を行う（ステップＳ３３）。
【００８３】
なお、断線検出時には、いずれの場合にも強制的に風呂循環ポンプ１６を運転して風呂追焚き回路で循環運転するのでなく、図１１に示すように、凍結防止用ヒータ２５、６６又は凍結温度センサ３１の断線を検出した場合にだけ、凍結温度センサ３１の検出出力を４℃と仮定して処理させ（図１１のステップＳ３５）、循環運転が起こり易いようにしてもよい。
【００８４】
（第４の実施形態）
図１２は断線検出ユニット２８を備えた温水供給システムの別な断線検出処理動作を表したフロー図である。この実施形態においては、ステップＳ２１〜Ｓ３３までの動作は、図１０の場合と同じであるから説明は省略する。
【００８５】
この実施形態では、異常がない場合には通常制御を行う（ステップＳ３２，Ｓ３７）一方、凍結防止用ヒータ２５、６６又は凍結温度センサ３１のいずれかの断線又は短絡が検出された場合には、他のヒータ、特に熱源機１の内部のヒータ（例えば、凍結防止用ヒータ２６）に通電する（ステップＳ３６）。
【００８６】
正常時には、凍結温度センサ３１で検出している温度に基づいて凍結防止ヒータに通電したり、循環運転を行うが、凍結温度センサ３１は通常熱源機１内にあるので、早めに凍結予防を行う必要がある。この実施形態のように、異常時には何らかのヒータに通電して発熱させることにより、外部配管の凍結を遅れさせることができる。
【００８７】
（第５の実施形態）
図１３は本発明のさらに別な実施形態における断線検出ユニット２８の正面図である。この断線検出ユニット２８にあっては、複数のヒータ接続口８１が設けられており、各ヒータ接続口には任意のヒータ、例えば凍結防止用ヒータ２５、２６又は６６等を接続できるようになっている。また、断線検出ユニット２８には、ジャンパスイッチ、ディップスイッチ、セレクタ等からなるヒータ切り替えスイッチ８２が複数設けられており、ヒータ切り替えスイッチ８２の設定を切り替えることにより、ヒータ接続口８１に接続されたヒータ同士を関連付けられるようにしている。
【００８８】
断線検出ユニット２８内では、１回路において決まったヒータ容量までしか検出することができないので、配管長が長い場合でも、それに応じて凍結防止用のヒータも長いものを用いて巻き付け長さを長くすることはできない。そこで、この実施形態では、配管長が長い場合には、規定ヒータ容量内のヒータ線を用いて複数本のヒータを配管に巻き付け、各ヒータをヒータ接続口８１に接続する。そして、同一配管に巻き付けられたヒータ同士をヒータ切り替えスイッチ８２で関連つける。例えば、同一配管に接続されているヒータが接続されているヒータ接続口８１に対応するヒータ切り替えスイッチ８２は同一の設定になるようにする。これによって、各ヒータは独立していて規定のヒータ容量を超えることは無いが、同一配管もしくは同一部位に巻き付けられたヒータは断線検出ユニット２８の内部では１本のヒータとして断線検出に関して処理される。
【００８９】
このような実施形態においては、同一部位の複数のヒータ、例えば複数本の凍結防止用ヒータ２５をヒータ接続口８１に接続して用いる場合には、同一部位の異なるヒータに対して断線検出時の断線表示（エラーコード）を異ならせ、どのヒータ接続口８１に接続されたヒータであるか判別できるようにしてもよい。
【００９０】
なお、上記実施形態においては、いずれも凍結防止センサの断線を検出する場合について説明したが、例えばＣＴ電流センサによって凍結防止センサに過大電流が流れるのを検出して異常検出信号を出力するようになっていてもよい。また、断線検出した場合の処理として、断線検出ユニットから風呂用リモコンや台所用リモコンに断線検出信号を直接出力するようにしてもよいし、あるいは断線検出信号を給湯器の制御部に出力して給湯器側からリモコン側に出力するようにしてもよい。また、断線検出ユニットからリモコン（あるいは給湯器）に出力する信号は、断線検出信号自体でもよいし、あるいは直接異常内容に対応したエラーコード信号、あるいは異常表示信号でもよい。
【図面の簡単な説明】
【図１】本発明に係る熱源機の構成を示す図である。
【図２】本発明の一実施形態において同上の熱源機と断線検出ユニットとで構成された温水供給システムの概略図である。
【図３】（ａ）は台所リモコンの正面図、（ｂ）は風呂用リモコンの正面図である。
【図４】図２に示した断線検出ユニットの回路図である。
【図５】図２の温水供給システムにおいて、ヒータの断線を検出したときの処理を表したフロー図である。
【図６】本発明の別な実施形態による温水供給システムにおいて、ヒータの断線を検出したときの処理を表したフロー図である。
【図７】本発明のさらに別な実施形態による温水供給システムの概略図である。
【図８】本発明のさらに別な実施形態による温水供給システムの概略図である。
【図９】同上の温水供給システムに用いられている断線検出ユニットの回路図である。
【図１０】図８の温水供給システムにおいて、ヒータや凍結温度センサの断線や短絡を検出したときの処理を表したフロー図である。
【図１１】本発明のさらに別な実施形態による温水供給システムにおいて、ヒータの断線を検出したときの処理を表したフロー図である。
【図１２】本発明のさらに別な実施形態による温水供給システムにおいて、ヒータの断線を検出したときの処理を表したフロー図である。
【図１３】本発明のさらに別な実施形態における断線検出ユニットの構造を示す正面図である。
【符号の説明】
１      熱源機
１２      浴槽
１４      風呂往き管
１５      風呂戻り管
１６      風呂循環ポンプ
１８      給湯往き管
１９      給湯バイパス管
２５      凍結防止用ヒータ（器具外ヒータ）
２６      凍結防止用ヒータ（器具内ヒータ）
２８      断線検出ユニット
３１      凍結温度センサ
３３      凍結防止用ヒータ
【図１】
0004277153.tif 000002
【図２】
0004277153.tif 000003
【図３】
0004277153.tif 000004
【図４】
0004277153.tif 000005
【図５】
0004277153.tif 000006
【図６】
0004277153.tif 000007
【図７】
0004277153.tif 000008
【図８】
0004277153.tif 000009
【図９】
0004277153.tif 000010
【図１０】
0004277153.tif 000011
【図１１】
0004277153.tif 000012
【図１２】
0004277153.tif 000013
【図１３】
0004277153.tif 000014